(57)【要約】【課題】所定の加湿量を確保した加湿空気が、本体ケース内をスムーズに流れ、室内の広範囲で循環する加湿装置を提供することを目的とする。【解決手段】略箱体状の本体ケース内を、水平およびに縦方向に配設した仕切板４と内側板５とによって上方空間６と下方空間７と側方空間８とに仕切り、本体ケースの３箇所の側面の下部に吸込口を、３箇所の側面の上端部に第１の吹出口を、天面の内側板５寄りに第２の吹出口を設け、加湿フィルター１７を各吸込口に対向させ、上方空間６にターボファン２２を、そのファン吸気口２４を仕切板４に設けたオリフィス２３に対向させ、第１および第２の吹出口に向けて送風する構成としたことにより、所定の加湿量を確保した加湿空気が本体ケース内でスムーズに流れ、室内の広範囲で循環することとなる。【選択図】図４
2012078040.tif 000002
【特許請求の範囲】
【請求項１】
略箱体状の本体ケースの内部に、送風手段と、上面を開口し一定水位の水を貯水するトレー、前記トレーの水に下部が浸漬される加湿フィルター、および、前記トレーに水を供給する給水タンクからなる加湿手段とを設けた加湿装置であって、前記本体ケース内を、水平に配設した仕切板と縦方向に配設した内側板とによって、上方空間および下方空間と、これら上方および下方空間の側方の側方空間とに仕切り、前記本体ケースの３箇所の側面に前記下方空間と連通する吸込口を設け、前記吸込口の設けられた前記３箇所の側面の上端部に第１の吹出口を設けるとともに、前記本体ケースの天面の前記内側板寄りに第２の吹出口を設け、前記側方空間に前記給水タンクを挿脱自在に装着し、前記下方空間に前記加湿フィルターを前記吸込口のそれぞれに対向させて立設し、前記上方空間に、前記送風手段を構成するターボファンを、そのファン吸気口が前記仕切板に設けたオリフィスに対向するように配設し、前記ターボファンから前記第１および第２の吹出口に向けて送風する構成としたことを特徴とする加湿装置。
【請求項２】
前記加湿フィルターは、４つの面からなる枠状に形成して上下に開口する方向に配設されたことを特徴とする請求項１に記載の加湿装置。
【請求項３】
前記加湿フィルターは、環状に形成して上下に開口する方向に配設されたことを特徴とする請求項１に記載の加湿装置。
【請求項４】
前記環状をなす加湿フィルターの上側開口縁部を、前記オリフィスの開口縁部の外方近傍に位置させたことを特徴とする請求項３に記載の加湿装置。
【請求項５】
前記ターボファンは、複数枚のブレードを立設したハブを、内周側から外周側に向かうにしたがって反ファン吸気口側に傾斜する形状としたことを特徴とする請求項１に記載の加湿装置。
【請求項６】
前記第１の吹出口は、前記本体ケースの側面から天面にわたり開口して形成されたことを特徴とする請求項５に記載の加湿装置。
【請求項７】
前記上方空間を形成する前記内側板を、上側が外方へ傾く傾斜面としたことを特徴とする請求項１に記載の加湿装置。
【請求項８】
前記給水タンクを前記内側板の傾斜面に沿う形状としたことを特徴とする請求項７に記載の加湿装置。
【発明の詳細な説明】
【技術分野】
【０００１】
本発明は、給水された水を貯水した貯水槽の水に、一部を浸漬した加湿フィルターに通風して加湿する気化式の加湿装置に関するものである。
【背景技術】
【０００２】
従来より、加湿空気が室内の一定方向のみに吹き出されるのではなく、多方向に吹き出されるように多方向に向けて吹出口を設けた加湿装置が提案されている（例えば、特許文献１参照）。
【０００３】
以下、特許文献１に記載の加湿装置について、図７を参照しながら説明する。
【０００４】
図に示すように、加湿装置の器体１０１を筒状に形成し、器体１０１の底部に水を貯留する水槽１０２を形成し、吸水材１０３放射状に保持して形成したフィルター１０４が、その下端を水槽１０２の水に浸漬して配設されている。
【０００５】
そして、器体１０１の下部周囲にはフィルター１０４に面する吸気口１０５を設けるとともに、器体１０１の上部周囲に吹出口１０６を全周にわたって設け、器体１０１内のフィルター１０４上方に、下から上に向けて送風する送風機１０７を設けている。
【０００６】
上記構成により、送風機１０７を運転すると、室内の空気が吸気口１０５から器体１０１内に吸気され、吸水したフィルター１０４に接触しながら通過して上昇し、器体１０１の上部周囲に設けた吹出口１０６から室内全周域に吹き出されていく。
【先行技術文献】
【特許文献】
【０００７】
【特許文献１】実開昭６１−１０４４３号公報（実願昭５９−９４９３１号のマイクロフィルム）
【発明の概要】
【発明が解決しようとする課題】
【０００８】
このような特許文献１に記載の加湿装置おいては、器体１０１を筒状にして、吹出口１０６をその上部周囲に全周にわたり形成して、加湿空気を無指向状に吹き出す構成としたものであり、フィルター１０４は筒状の器体１０１に適した放射状に形成され、また、送風機１０７は、筒状の器体１０１内の送風に適した軸流ファンとしたものである。
【０００９】
このようなことから、フィルター１０４における加湿効率が高くなく、また、器体１０１内における空気流がスムーズなものでないので、騒音が高く、圧力損失が増大することが考えられるものであった。
【００１０】
すなわち、吸気口１０５から吸気された空気は、吸気口１０５に向かって放射状に形成された吸水材１０３の間を流れ、そして、上方に位置する送風機１０７の方向に大きく通風方向が曲げられるので、フィルター１０４の中心部まで均一な状態で接触して通風することがなくなる。
【００１１】
さらに、送風機１０７を構成する軸流ファンから送り出された空気はまっすぐ上方に流れていくが、吹出口１０６は器体１０１の周囲にあるので、通風方向はここでも、コーン状の天板１０８により誘導されて大きく曲げられる。
【００１２】
そこで本発明は、上記従来の課題を解決するものであり、所定の加湿量を確保したうえで、器体内の空気流がスムーズに流れ、吹き出された加湿空気が室内の広範囲で循環する加湿装置を提供することを目的とする。
【課題を解決するための手段】
【００１３】
そして、この目的を達成するために、本発明の加湿装置は、略箱体状の本体ケースの内部に、送風手段と、上面を開口し一定水位の水を貯水するトレー、前記トレーの水に下部が浸漬される加湿フィルター、および、前記トレーに水を供給する給水タンクからなる加湿手段とを設けた加湿装置であって、前記本体ケース内を、水平に配設した仕切板と縦方向に配設した内側板とによって、上方空間および下方空間と、これら上方および下方空間の側方の側方空間とに仕切り、前記本体ケースの３箇所の側面に前記下方空間と連通する吸込口を設け、前記吸込口の設けられた前記３箇所の側面の上端部に第１の吹出口を設けるとともに、前記本体ケースの天面の前記内側板寄りに第２の吹出口を設け、前記側方空間に前記給水タンクを挿脱自在に装着し、前記下方空間に前記加湿フィルターを前記吸込口のそれぞれに対向させて立設し、前記上方空間に、前記送風手段を構成するターボファンを、そのファン吸気口が前記仕切板に設けたオリフィスに対向するように配設し、前記ターボファンから前記第１および第２の吹出口に向けて送風する構成としたものであり、これにより所期の目的を達成するものである。
【発明の効果】
【００１４】
本発明によれば、本体ケース内の空気の流れがスムーズになること、および、圧力損失が低減することにより、騒音の低下および消費電力の低減を達成でき、加えて、室内の広範囲で加湿空気を循環することができることにより、室内における加湿状態のむらを低下させることができる。
【００１５】
さらに、本体ケースは前後方向に出っ張らず、圧迫感のないコンパクトな形状とすることができる、という効果を得ることができる。
【図面の簡単な説明】
【００１６】
【図１】本発明の実施の形態１の加湿装置を示す前方からの斜視図
【図２】同加湿装置の後方からの斜視図
【図３】同加湿装置の本体ケース内を示す斜視図
【図４】同加湿装置の本体ケース内を示す断面図
【図５】同加湿装置の加湿フィルターの斜視図
【図６】本発明の実施の形態２の加湿装置における加湿フィルターの斜視図
【図７】従来の加湿装置を示す斜視図
【発明を実施するための形態】
【００１７】
本発明の請求項１記載の加湿装置は、略箱体状の本体ケースの内部に、送風手段と、上面を開口し一定水位の水を貯水するトレー、前記トレーの水に下部が浸漬される加湿フィルター、および、前記トレーに水を供給する給水タンクからなる加湿手段とを設けた加湿装置であって、前記本体ケース内を、水平に配設した仕切板と縦方向に配設した内側板とによって、上方空間および下方空間と、これら上方および下方空間の側方の側方空間とに仕切り、前記本体ケースの３箇所の側面に前記下方空間と連通する吸込口を設け、前記吸込口の設けられた前記３箇所の側面の上端部に第１の吹出口を設けるとともに、前記本体ケースの天面の前記内側板寄りに第２の吹出口を設け、前記側方空間に前記給水タンクを挿脱自在に装着し、前記下方空間に前記加湿フィルターを前記吸込口のそれぞれに対向させて立設し、前記上方空間に、前記送風手段を構成するターボファンを、そのファン吸気口が前記仕切板に設けたオリフィスに対向するように配設し、前記ターボファンから前記第１および第２の吹出口に向けて送風する構成としたしたものであり、室内の空気は、３箇所の側面の吸込口から本体ケース内に吸い込まれ、吸込口に対向した加湿フィルターの外側から内側に通過して、仕切板のオリフィスからターボファンに吸気され、ターボファンから本体ケースの４方向に設けた第１および第２の吹出口に向けて斜め上方に送風されることとなり、本体ケース内の空気の流れがスムーズになるとともに、ターボファンの吸込側および吹出側の通風路における通気抵抗が減少して、圧力損失が低減するので、騒音の低下および消費電力の低減を達成でき、加えて、加湿された空気が室内の広範囲で循環されるので、室内における加湿状態のむらを低下させることができ、さらに、加湿しながら室内空気を広範囲に循環する機能部を備えた上方空間および下方空間と、この機能部に給水する給水タンクを挿入した側方空間とを、本体ケース内の左右方向にコンパクトに形成することができるので、本体ケースは前後方向に出っ張らず、圧迫感のないコンパクトな形状とすることができる、という作用効果を奏する。
【００１８】
また、請求項２記載の加湿装置は、請求項１に記載の加湿装置において、前記加湿フィルターは、４つの面からなる枠状に形成して上下に開口する方向に配設されたものであり、吸込口から吸い込まれた空気は、ほとんどが枠状の加湿フィルターの内周側に吸引されて、ターボファンに集中して吸気されていくので、漏れのほとんどない空気流となり、通性性がさらに向上する。
【００１９】
また、請求項３記載の加湿装置は、請求項１に記載の加湿装置において、前記加湿フィルターは、環状に形成して上下に開口する方向に配設されたものであり、環状の加湿フィルターの内周面には、ターボファンの吸気による負圧が略均一にかかり、加湿フィルターを通過する空気流が略均一な状態で通過するものとなり、加湿フィルターにおける加湿効率が向上する。
【００２０】
また、請求項４記載の加湿装置は、請求項３に記載の加湿装置において、前記環状をなす加湿フィルターの上側開口縁部を、前記オリフィスの開口縁部の外方近傍に位置させたものであり、ターボファンの吸気により加湿フィルターの内周面にかかる負圧が増して、加湿フィルターにおける通風性が向上し、加湿効率がさらに向上する。
【００２１】
また、請求項５記載の加湿装置は、請求項１に記載の加湿装置において、前記ターボファンは、複数枚のブレードを立設したハブを、内周側から外周側に向かうにしたがって反ファン吸気口側に傾斜する形状としたものであり、ターボファンから送出される空気流が、ハブに沿って第１および第２の吹出口が位置する斜め上方に向かうものとなり、ターボファンから吹出口への空気の流れが、よりスムーズなものとなるので、吹出口側の騒音低下と消費電力低減を達成できる。
【００２２】
また、請求項６記載の加湿装置は、請求項５に記載の加湿装置において、前記第１の吹出口は、前記本体ケースの側面から天面にわたり開口して形成されたものであり、ターボファンから送出される空気流が斜め上方に向くことに合わせて、第１の吹出口からの吹出角度を天面にかかる上方側に上げることができるので、騒音、消費電力が増すことなく、加湿空気を室内のより広範囲に循環させることができる。
【００２３】
また、請求項７記載の加湿装置は、請求項１に記載の加湿装置において、前記上方空間を形成する前記内側板を、上側が外方へ傾く傾斜面としたものであり、ターボファンからの距離が第１の吹出口より若干遠い第２の吹出口への送風が、傾斜面に沿い良好なものとなり、吹出口側の通風性がさらに向上する。
【００２４】
また、請求項８記載の加湿装置は、請求項７に記載の加湿装置において、前記給水タンクを前記内側板の傾斜面に沿う形状としたものであり、本体ケース内を有効に使用できるとともに、給水タンクを上方より下方が大きくなる安定した状態で装着でき、前後方向に出っ張らず、かつ、左右方向の寸法も無駄のないものとすることができ、また、安定した給水タンクの装着状態により、本体ケースを安定した状態に置くことができることとなる。
【００２５】
（実施の形態１）
本発明の実施の形態１の加湿装置は、図１および図２に示すように、本体ケース１が略箱形状をなし、主ケース部２とサイドケース部３とからなる。また、サイドケース部３は、図示しないが、主ケース部２に対し、下端部を回動支点として左右方向に回動して、上方を半開き状態に開放する。
【００２６】
そして、本体ケース１内を示す図３および図４を併せて説明すると、本体ケース１内を、水平方向に配設した仕切板４と、本体ケース１の右側部寄りに縦方向に配設した内側板５とによって、上方空間６および下方空間７と、上方および下方空間６，７の側方に形成する側方空間８とに仕切り、上方空間６の上端部を本体ケース１の主ケース部２の主天面９で覆い、側方空間８は、上端部がサイドケース部３のサイド天面１０で覆われ、下部側で下方空間７と連通している。すなわち、内側板５は主天面９から仕切板４の間に設けられている。
【００２７】
そして、主ケース部２の前側面１３ａ、左側面１３ｂ、後側面１３ｃの３つの側面１３の下部に、下方空間７の前側部、左側部、後側部の３側部に形成した開口１１に連接して下方空間７に連通する吸込口１２を設けるとともに、上方空間６の側部となる主ケース部２の前側面１３ａ、左側面１３ｂ、後側面１３ｃの３つの側面１３の上端部に上方空間６と連通する第１の吹出口１４を設けている。
【００２８】
さらに、主天面９の内側板５寄りの側部に第２の吹出口１５を設けている。また、上方空間６の１側部となる内側板５は、上側に向かうにしたがって外方に傾く傾斜面となっており、主天面９の側部に位置する第２の吹出口１５に向かって傾斜する形状となっている。
【００２９】
また、本体ケース１内の下方空間７から側方空間８にかけて、上面を開口し一定水位の水を貯水するトレー１６と、トレー１６に貯水された水に下部が浸漬される加湿フィルター１７と、トレー１６に水を供給する給水タンク１８とからなる加湿手段１９を設けている。
【００３０】
トレー１６は、サイドケース部３を主ケース部２から取り外し、加湿フィルター１７を立設した状態で、主ケース部２の側方から下方空間７に挿脱自在に装着される。
【００３１】
また、給水タンク１８は、サイドケース部３の上方を半開き状態にし、その上方から挿入して側方空間８に納まるように装着され、下部がトレー１６内の側部に位置する。そして、側方空間８の１側部を形成する内側板５は傾斜面となっているので、給水タンク１８の一側面１８ａも内側板５の傾斜面に沿う形状としている。
【００３２】
加湿フィルター１７は、図５に示すように、４つの面からなる枠状に形成して上下に開口する方向に配設し、３つの面を３箇所の吸込口１２に対向させてトレー１６の水内に立設されている。
【００３３】
また、加湿フィルター１７は、枠状の上側開口端面を仕切板４の下面に当接させ、加湿フィルター１７の内周側に外周側と仕切られた内周側空間２０を形成している。
【００３４】
一方、上方空間６には送風手段２１を設けている。送風手段２１は、ターボファン２２を、仕切板４の中央部に形成された送風手段２１の吸気口となるオリフィス２３に、ファン吸気口２４を対向させ、ターボファン２２から送出される空気流が上方空間６の上端周縁部に位置する第１の吹出口１４および第２の吹出口１５に向く構成としている。
【００３５】
さらにターボファン２２について説明を加えると、ターボファン２２は、モーター２５の回転軸２５ａに固着されるハブ２２ａと、ハブ２２ａの外周側に放射状に立設される複数枚のブレード２２ｂと、ブレード２２ｂを間に置いてハブ２２ａとの間に誘導流路を形成するシュラウド２２ｃとからなり、ハブ２２ａが内周側から外周側に向かうにしたがいファン吸気口２４とは反対方向である反ファン吸気口側に傾斜する形状にした点に特徴がある。
【００３６】
そして、上記ハブ２２ａの傾斜によりターボファン２２から送出される空気流が反ファン吸気口側に、すなわち、斜め上方に向くことに合わせて、第１の吹出口１４を主ケース部２の側面１３から主天面９にわたり開口して形成し、その吹出角度を上方側に上げている。
【００３７】
次に、上記構成の加湿装置の運転について説明する。
【００３８】
送風手段２１のモーター２５に通電してターボファン２２を回転させると、室内の空気は主ケース部２の前側面１３ａ、左側面１３ｂ、後側面１３ｃの３つの側面１３に設けた吸込口１２から吸い込まれ、各吸込口１２に対向した枠状の加湿フィルター１７の３つの面を通過して加湿フィルター１７の内周側空間２０に吸い込まれ、この過程において、加湿フィルター１７に吸い上げられた水が気化し、加湿空気となる。
【００３９】
そして、加湿フィルター１７の内周側空間２０に吸い込まれた加湿空気は、オリフィス２３からターボファン２２に吸気される。このとき、内周側空間２０は外周側と仕切られた負圧空間となっているので、吸込口１２から吸い込まれた室内の空気は、ほとんどが内周側空間２０に吸い込まれ、また、オリフィス２３は仕切板４の中央部、すなわち、内周側空間２０の中央部に位置しており、さらに、吸込口１２は、主ケース部２の３箇所の側面１３に設けられているので、内周側空間２０からオリフィス２３への吸込みはスムーズな流れになるとともに、送風手段２１の吸込側における通気抵抗が減少して圧力損失が低減し、騒音を低下させ、消費電力を低減させることができる。
【００４０】
そして、ターボファン２２に吸気された加湿空気は、ハブ２２ａがその内周側から外周側に向かうにしたがって上方に傾斜する形状となっているので、斜め上方に送出され、上方空間６における斜め上方の４箇所に位置する第１の吹出口１４と第２の吹出口１５に向く空気流となり、吹出口に空気流を誘導する誘導板等を設けることなく、スムーズな空気流で第１および第２の吹出口１４，１５から吹き出すことができる。
【００４１】
さらに、上方空間６の１側部となる内側板５が、第２の吹出口１５の位置する斜め上方に傾斜しているので、ターボファン２２からの距離が第１の吹出口１４より若干遠い第２の吹出口１５への送風が傾斜面に沿い、良好なものとなる。
【００４２】
このように、ターボファン２２から室内へ吹き出される空気の流れがスムーズなものとなるとともに、圧力損失が低減されるので、送風手段２１の吹出側における騒音を低下させ、消費電力を低減させることができる。
【００４３】
さらに、３箇所の吸込口１２に対向する加湿フィルター１７をほとんど漏れなく通過して所定の加湿量を確保したうえで、主ケース部２内を低騒音かつ低圧損で通風して吹き出される加湿空気は、主ケース部２の前側面１３ａ、左側面１３ｂ、後側面１３ｃの上端部において側面１３から主天面９にわたり開口して形成された第１の吹出口１４と、主天面９の右側部に形成された第２の吹出口１５の４箇所から斜め上方に吹き出され、室内の上方から遠くへ流れ、室内の広範囲で循環して、室内における加湿状態のむらをより低下させることができる。
【００４４】
また、給水タンク１８を本体ケース１の側方空間８に、その一側面１８ａを内側板５の傾斜面に沿わせて納めているので、本体ケース１内を有効に使用でき、本体ケース１を前後方向に出っ張らず、かつ、左右方向の寸法も無駄のないものとすることができ、さらに、給水タンク１８を上方より下方が大きくなる形状として安定した状態で装着でき、本体ケース１を安定した状態に置くことができることとなる。
【００４５】
このように、加湿しながら室内空気を広範囲に循環する機能部（送風手段２１を備えた上方空間６と加湿手段１９を備えた下方空間７）と、この機能部に給水する給水タンク１８とを、左右方向に配設して本体ケース１に無駄なく納めることができ、前後方向に出っ張らず圧迫感のないコンパクトな形状の加湿装置とすることができる。
【００４６】
なお、本実施の形態１では、本体ケース１内に形成する上方空間６と下方空間７を左側に、側方空間８を右側部に形成しているが、これらを左右方向に入れ換えてもよいことは、いうまでもない。
【００４７】
（実施の形態２）
本発明の実施の形態２の加湿装置は、図６に示すように、上記実施の形態１の加湿装置に対し、加湿フィルター１７Ａを、上下に開口する環状に形成した点に特徴がある。
【００４８】
加湿フィルター１７Ａを環状にすることにより、その内周面にはターボファン２２の吸気による負圧が略均一にかかり、吸込口１２から吸い込まれてきた室内の空気が加湿フィルター１７Ａの全面にわたって略均一な状態で通過し、加湿フィルター１７Ａに吸水された水を効率よく気化して加湿することとなる。
【００４９】
そして、加湿フィルター１７Ａにおける加湿効率が向上することにより、ターボファン２２の回転数を下げることができるので、騒音、消費電力の低下、低減を図ることができる。
【００５０】
また、環状をなす加湿フィルター１７Ａの上側開口縁部１７ａをオリフィス２３の開口縁部の外方近傍に位置させる構成とすると、ターボファン２２の吸気により加湿フィルター１７Ａの内周面にかかる負圧が増して、加湿フィルター１７Ａにおける通風性が向上し、加湿能力がさらに高まることとなる。
【産業上の利用可能性】
【００５１】
本発明に係る加湿装置は、低騒音化、低圧損化して発生させた加湿空気を、室内の広範囲で循環でき、室内を快適な湿度状態に維持する加湿装置として有用である。
【符号の説明】
【００５２】
１      本体ケース
４      仕切板
５      内側板
６      上方空間
７      下方空間
８      側方空間
９      主天面
１２    吸込口
１３    側面
１３ａ  前側面
１３ｂ  左側面
１３ｃ  後側面
１４    第１の吹出口
１５    第２の吹出口
１６    トレー
１７    加湿フィルター
１７Ａ  加湿フィルター
１７ａ  上側開口縁部
１８    給水タンク
１９    加湿手段
２１    送風手段
２２    ターボファン
２２ａ  ハブ
２２ｂ  ブレード
２３    オリフィス
２４    ファン吸気口
【図１】
2012078040.tif 000003
【図２】
2012078040.tif 000004
【図３】
2012078040.tif 000005
【図４】
2012078040.tif 000006
【図５】
2012078040.tif 000007
【図６】
2012078040.tif 000008
【図７】
2012078040.tif 000009